(57)【要約】【課題】  耐震機能を備えた電気装置用キャビネットを提供する。【解決手段】  箱形のキャビネット本体１の内側下部に支持金具４を取り付け、支持金具上に、電子・電気機器８を１段又は２段以上搭載するベース板９を少なくとも四隅に配置したのフリーボールベアリング５を介在して水平移動可能に載置すると共に、ベース板とそれを支持する支持金具とを水平方向の衝撃力を吸収、緩和する複数の横衝撃抑制部材１１を介して連結した。【選択図】        図１
0003113305.tif 000002
【実用新案登録請求の範囲】
【請求項１】
箱形のキャビネット本体の内側下部に支持金具を取り付け、支持金具上に、電子・電気機器を１段又は２段以上搭載するベース板をその少なくとも四隅に配置したフリーボールベアリングを介在して水平移動可能に載置すると共に、ベース板とそれを支持する支持金具とを水平方向の衝撃力を吸収、緩和する複数の横衝撃抑制部材を介して連結したことを特徴とする電気装置用キャビネット。
【請求項２】
箱形のキャビネット本体の内側に支持金具を複数段取り付け、各支持金具上に、電子・電気機器を１段又は２段以上搭載するベース板をそれぞれそれらの少なくとも四隅に配置したフリーボールベアリングを介在して水平移動可能に載置すると共に、各ベース板とそれらを支持する支持金具とを水平方向の衝撃力を吸収、緩和する複数の横衝撃抑制部材を介して個別に連結したことを特徴とする電気装置用キャビネット。
【請求項３】
前記各ベース板における隣り合うもの同士を一体的に連結したことを特徴とする請求項２記載の電気装置用キャビネット。
【請求項４】
前記ベース板に、このベース板に搭載される電子・電気機器に接続のケーブルを固定するケーブル固定部材を設けたことを特徴とする請求項１、２又は３記載の電気装置用キャビネット。
【請求項５】
前記フリーボールベアリングが、上下方向の衝撃力を吸収、緩和する機能を有し、又はそのボールケースとそれが取り付けられる支持金具若しくはベース板との間に上下方向の衝撃力を吸収、緩和する縦衝撃抑制部材を介装していることを特徴とする請求項１、２、３又は４記載の電気装置用キャビネット。
【請求項６】
前記縦衝撃抑制部材が、プレート状を呈するゴム状弾性体であることを特徴とする請求項５記載の電気装置用キャビネット。
【請求項７】
前記複数の横衝撃抑制部材が、ベース板の下面中央部を中心として放射状に配置され、ベース板の下面中央部と支持金具とを連結する少なくとも４本のダンパーであることを特徴とする請求項１、２、３、４、５又は６記載の電気装置用キャビネット。
【請求項８】
前記ダンパーのシリンダーとそのピストンロッドが取り付けられる両取付け部位間がピストンロッドの最大伸長長さを超える伸長を阻止するワイヤーで連結されていることを特徴とする請求項７記載の電気装置用キャビネット。
【請求項９】
前記複数の横衝撃抑制部材が、ベース板の少なくとも四隅に配置され、支持金具とベース板とを連結する垂直な円柱状を呈し、かつ、一端部を小径に形成したゴム状弾性体であることを特徴とする請求項１、２、３、４、５又は６記載の電気装置用キャビネット。
【請求項１０】
前記ゴム状弾性体の支持金具における取付け部位とベース板の下面中央部との間がゴム状弾性体の弾性変形限界を超える変形を阻止するワイヤーで連結されていることを特徴とする請求項９記載の電気装置用キャビネット。
【考案の詳細な説明】
【技術分野】
【０００１】
本考案は、ＬＡＮやＷＡＮ等のデータ通信ネットワークに使用される電子・電気機器、その他の電子・電気機器を収容する電気装置用キャビネットに係り、特に、耐震機能を備えた電気装置用キャビネットに関する。
【背景技術】
【０００２】
一般に、電気装置用キャビネットは、転倒を防止するため、設置箇所に固定される金属製のキャビネット本体内に、各種の電子・電気機器を多段に支持するための機器支持架体を設けて構成されており、従来、耐震機能を備えたものは知られていない。
【０００３】
しかしながら、地震による電子・電気機器、特に、データ通信ネットワークに使用されるものの損壊は、ライフラインの破壊に至るので、耐震機能を備えた電気装置用キャビネットの出現が望まれている。
【考案の開示】
【考案が解決しようとする課題】
【０００４】
本考案は、耐震機能を備えた電気装置用キャビネットを提供することを目的とする。
【課題を解決するための手段】
【０００５】
本考案の第１の電気装置用キャビネットは、箱形のキャビネット本体の内側下部に支持金具を取り付け、支持金具上に、電子・電気機器を１段又は２段以上搭載するベース板をその少なくとも四隅に配置したフリーボールベアリングを介在して水平移動可能に載置すると共に、ベース板とそれを支持する支持金具とを水平方向の衝撃力を吸収、緩和する複数の横衝撃抑制部材を介して連設したことを特徴とする。
【０００６】
第２の電気装置用キャビネットは、箱形のキャビネット本体の内側に支持金具を複数段取り付け、各支持金具上に、電子・電気機器を１段又は２段以上搭載するベース板をそれぞれそれらの少なくとも四隅に配置したフリーボールベアリングを介在して水平移動可能に載置すると共に、各ベース板とそれらを支持する支持金具とを水平方向の衝撃力を吸収、緩和する複数の横衝撃抑制部材を介して個別に連結したことを特徴とする。
【０００７】
第３の電気装置用キャビネットは、第２のものにおいて、前記各ベース板における隣り合うもの同士を一体的に連結したことを特徴とする。
【０００８】
第４の電気装置用キャビネットは、第１、第２又は第３のものにおいて、前記ベース板に、このベース板に搭載される電子・電気機器に接続のケーブルを固定するケーブル固定部材を設けたことを特徴とする。
【０００９】
又、第５の電気装置用キャビネットは、第１、第２、第３又は第４のものにおいて、前記フリーボールベアリングが、上下方向の衝撃力を吸収、緩和する機能を有し、又はそのボールケースとそれが取り付けられる支持金具若しくはベース板との間に上下方向の衝撃力を吸収、緩和する縦衝撃抑制部材を介装していることを特徴とする。
【００１０】
前記縦衝撃抑制部材は、プレート状を呈するゴム状弾性体であることが好ましい。
【００１１】
一方、前記複数の横衝撃抑制部材は、ベース板の下面中央部を中心として放射状に配置され、ベース板の下面中央部と支持金具とを連結する少なくとも４本のダンパーであることが好ましい。
【００１２】
上記ダンパーのシリンダーとそのピストンロッドが取り付けられる両取付け部位間は、ピストンロッドの最大伸長長さを超える伸長を阻止するワイヤーで連結されていることが好ましい。
【００１３】
又、前記複数の横衝撃抑制部材は、ベース板の少なくとも四隅に配置され、支持金具とベース板とを連結する垂直な円柱状を呈し、かつ、一端部を小径に形成したゴム状弾性体であってもよい。
【００１４】
上記ゴム状弾性体の支持金具における取付け部位とベース板の下面中央部との間は、ゴム状弾性体の弾性変形限界を超える変形を阻止するワイヤーで連結されていることが好ましい。
【考案の効果】
【００１５】
本考案の第１の電気装置用キャビネットによれば、電子・電気機器の受ける地震による水平方向の衝撃力が、横衝撃抑制部材によって１枚のベース板を介して一括して吸収、緩和されるので、耐震機能を備えたものとすることができる。
【００１６】
第２の電気装置用キャビネットによれば、電子・電気機器の受ける地震による水平方向の衝撃力が、横衝撃抑制部材によって各ベース板を介してそれぞれのベース板毎に吸収、緩和されるので、耐震機能を備えたものとすることができると共に、横衝撃抑制部材単体を性能の低いもの若しくは横衝撃抑制部材全体による性能を高いものとすることができる。
【００１７】
第３の電気装置用キャビネットによれば、電子、電気機器の受ける地震による水平方向の衝撃力が、横衝撃抑制部材によって各ベース板を介して一括して吸収、緩和されるので、耐震機能を備えたものとすることができると共に、各ベース板に搭載される電子・電気機器の重量が異なっていても一様に抑制することができる。
【００１８】
第４の電気装置用キャビネットによれば、第１、第２又は第３のものによる作用効果の他、ケーブルの受ける地震による水平方向の衝撃力が、横衝撃抑制部材によって１枚のベース板を介して一括して、各ベース板を介してそれぞれののベース板毎に、又は各ベース板を介して一括して吸収、緩和されるので、ケーブルに対する耐震機能も備えたものとすることができる。
【００１９】
又、第５の電気装置用キャビネットによれば、第１、第２、第３又は第４のものによる作用効果の他、電子・電気機器又は電子・電気機器とケーブルの受ける地震による上下方向の衝撃力がフリーボールベアリングの吸収、緩和機能又は縦衝撃抑制部材によって１枚のベース板を介して一括して、各ベース板を介してそれぞれのベース板毎に、又は各ベース板を介して一括して吸収、緩和されるので、一層優れた耐震機能を備えたものとすることができる。
【００２０】
一方、複数の横衝撃吸収部材を少なくとも４本のダンパーとすることにより、水平方向の全方向の衝撃力を吸収、緩和することができる。
【００２１】
又、ダンパーのシリンダーとそのピストンロッドが取り付けられる両部位間を、ピストンロッドの最大伸長長さを超える伸長を阻止するワイヤーで連結することにより、ダンパーが地震による衝撃力によって破損することが防止でき、かつ、支持金具からのベース板の落下及び浮き上がりによる転倒を防止することができる。
【００２２】
他方、複数の横衝撃吸収部材をベース板の少なくとも四隅の配置され、円柱状を呈し、かつ、一端部を小径に形成した少なくとも４本のゴム状弾性体とすることにより、ダンパーと同様に水平方向の全方向の衝撃力を吸収、緩和することができる。
【００２３】
又、ゴム状弾性体の支持金具における取付け部位とベース板の下面中央部との間を、ゴム状弾性体の弾性変形限界を超える変形を阻止するワイヤーで連続することにより、ゴム状弾性体が地震による衝撃力によって破損することが防止され、かつ、支持金具からのベース板の落下及び浮き上がりによる転倒が防止される。
【考案を実施するための最良の形態】
【００２４】
支持金具は、キャビネット本体の内面両側に対向して取り付けた、左右で対をなすものとしてもよいが、支持金具を、キャビネット本体の内側に取り付けた状態で、方形額縁状をなすものとしてもよく、このようにすることにより、各段におけるフリーボールベアリングやダンパー等の数を増加することができる。
【００２５】
又、フリーボールベアリングは、それ自体が上下方向の衝撃力を吸収、緩和する機能を有するものとしてもよく、この場合、プレート状を呈するゴム状弾性体をボールケースとそれが取り付けられる支持金具との間に介装する必要がなくなる。
【００２６】
更に、フリーボールベアリングのボールケースは、支持金具に装着する他、ベース板の下面に装着するようにしてもよい一方、ダンパーのシリンダーを支持金具のブラケットに枢支する他、ベース板のブラケットに枢支したり、あるいはゴム状弾性体を小径部分が下になるようして用いる他、上になるようにして用いてもよいのは勿論である。
【００２７】
更に又、フリーボールベアリングを４つに限らず、６つ以上、ダンパー及びゴム状弾性体を４本に限らず、６本以上用いるようにしてもよい。
【００２８】
又、フリーボールベアリングのボールケースとそれが取り付けられる支持金具又はベース板との間には、ゴム状弾性体を介装することが好ましいが、介装しなくてもよい。
【実施例１】
【００２９】
図１、図２、図３及び図４はそれぞれ本考案に係る電気装置用キャビネットの実施例１を示す一部を破断した正面図、図１における要部の拡大図、図２における III−III 線矢視断面図及び図２におけるIV−IV線矢視断面図である。
【００３０】
図中１は金属からなる縦長箱形のキャビネット本体で、このキャビネット本体１の正面の開口部は、ノブ２を介して開閉されるドア３によって閉鎖可能に設けられている。
【００３１】
キャビネット本体１の内面両側の下部には、山形鋼からなる支持金具４が対向して取り付けられており、対向する両側の支持金具４上の前後には、ボールケース５ａとこれに回転自在に収容されたベアリングボール５ｂとからなるフリーボールベアリング５が、そのボールケース５ａと支持金具４との間に、地震による上下方向の衝撃力を吸収、緩和する縦衝撃抑制部材として、プレート状を呈するゴム状弾性体６を介装して装着されている。
両側の支持金具４の４つのフリーボールベアリング５上には、キャビネット本体１の内空断面積より適宜に小さな面積を有する方形板状を呈し、その内側に立設した柱状の複数の機器マウント７を介して電子・電気機器８を１段又は２段以上搭載するベース板９が、四隅の下面をベアリングボール５ｂと当接して水平方向へ移動可能に載置されている。
【００３２】
そして、ベース板９とそれを支持する両側の支持金具４とは、ベース板９の下面中央部を中心として放射状に配置され、両側の支持金具４の下面の前後に垂設したブラケット１０にシリンダー１１ａの基部が枢支されると共に、ベース板９の下面中央部に垂設したブラケット１２にピストンロッド１１ｂの先端部が枢支された、複数の横衝撃抑制部材としての４本のダンパー１１を介して連結され、又、上記両側の支持金具４の下面の前後に垂設したブラケット１０とベース板９の下面中央部に垂設したブラケット１２とは、それぞれのダンパー１１の破損を防止し、かつ、支持金具４からのベース板９の落下を防止するため、ピストンロッド１１ｂの最大伸長長さを超える伸長を阻止する可撓性のワイヤー１３で連結されている。
又、ベース板９の後部両側には、ポスト１４が立設されており、両ポスト１４には、電子・電気機器８に接続されるケーブル８ａを固定するためのケーブル固定部材１５が、ケーブル８ａの接続端部が水平となる高さに位置して横架されている。
【００３３】
上記構成の電気装置用キャビネットにおいて、ベース板９の機器マウント７に電子・電気機器８を１段又は２段以上取り付け、かつ、床面にしっかりと固定されたキャビネットが地震を受けた場合、電子・電気機器８及びケーブル８ａの受ける地震による水平方向の衝撃力がダンパー１１によって１枚のベース板９を介して一括して吸収、緩和されると共に、同様の上下方向の衝撃力がプレート状を呈するゴム状弾性体６によって１枚のベース板９を介して一括して吸収、緩和される一方、ダンパー１１のピストンロッド１１ｂの最大伸長長さを超える水平方向の衝撃力を受けた際には、ワイヤー１３によってダンパー１１の破損が防止されると共に、支持金具４からのベース板９の落下及び浮き上がりによる転倒が防止される。
【実施例２】
【００３４】
図５は本考案に係る電気装置用キャビネットの実施例２を示す一部を破断した正面図である。
【００３５】
この電気装置用キャビネットは、キャビネット本体１の内面両側に支持金具４を対向して複数段取り付けると共に、実施例１のものと同様に、機器マウント７を介して電子・電気機器８を１段又は２段以上搭載するベース板９をそれぞれそれらの四隅に配置したフリーボールベアリング５を介して各支持金具４上に載置し、かつ、各ベース板９とそれらを支持する支持金具４を水平方向の衝撃力を吸収、緩和する４本のダンパー１１を介して個別に連結したものである。  他の構成は、実施例１のものとほぼ同様であるので、同一の機能を奏する構成部材等には同一の符号を付してその説明を省略する。
【００３６】
上記構成の電気装置用キャビネットにおいては、各ベース板９の機器マウント７に電子・電気機器８を１段又は２段以上取り付け、かつ、床面にしっかりと固定されたキャビネットが地震を受けた場合、電子・電気機器８及びケーブル８ａの受ける地震による水平方向の衝撃力がダンパー１１によって各ベース板９を介してそれぞれのベース板９毎に吸収、緩和されると共に、同様の上下方向の衝撃力がプレート状を呈するゴム状弾性体６によって各ベース板９毎に吸収、緩和される一方、実施例１のものと同様に、ダンパー１１のピストンロッド１１ｂの最大伸長長さを超える水平方向の衝撃力を受けた際には、ワイヤー１３によってダンパー１１の破損が防止されると共に、支持金具４からのベース板９の落下及び浮き上がりによる転倒が防止される。
【実施例３】
【００３７】
図６は本考案に係る電気装置用キャビネットの実施例３を示す要部の平面断面図である。
【００３８】
この電気装置用キャビネットは、実施例２のものと同様に、複数段としたベース板９における上下で隣り合うもの同士を、それらの後部両側に配置した２本の連結杆１６によって一体的に連結したものである。
他の構成は、実施例２のものと同様であるので、同一の構成部材等には同一の符号を付してその説明を省略する。
【００３９】
上記構成の電気装置用キャビネットにおいては、各ベース板９の機器マウント７に電子・電気機器８を１段又は２段以上取り付け、かつ、床面にしっかりと固定されたキャビネットが地震を受けた場合、電子・電気機器８及びケーブル８ａの受ける地震による水平方向の衝撃力がダンパーによって各ベース板９を介して一括して吸収、緩和されると同様に、同様の上下方向の衝撃力がプレート状を呈するゴム状弾性体６によって各ベース板９を介して一括して吸収、緩和される他、実施例２のものと同様の作用を奏する。
【実施例４】
【００４０】
図７は本考案に係る電気装置用キャビネットの第４の実施の形態を示す要部の断面図である。
【００４１】
この電気装置用キャビネットは、複数の横衝撃抑制部材として、支持金具４とベース板９とに連結するボルト１７ａ，１７ｂを両端に連設した円柱状を呈し、かつ、一端部（図７においては下端部）を小径に形成したゴム状弾性体１８を用い、このゴム状弾性体１８を少なくとも両支持金具４の前後においてベース板９との間に垂直に介在させ、かつ、支持金具４とベース板９のボルト孔１９，２０から突出した両端のボルト１７ａ，１７ｂの端部にナット２１ａ，２１ｂを螺合し、支持金具４とベース板９とを弾性的に連結し、又、ゴム状弾性体１８の支持金具４における取付け部位とベース板９の下面中央部とを、ゴム状弾性体１８の弾性変形限界を超える変形を阻止するワイヤー（図示せず）で連結したものである。
他の構成及び作用効果は、前述した実施例１、２又は３のものと同様であるので、同一の構成部材等には同一の符号を付してその説明を省略する。
【図面の簡単な説明】
【００４２】
【図１】本考案に係る電気装置用キャビネットの実施例１を示す一部を破断した正面図である。
【図２】図１における要部の拡大図である。
【図３】図２における III−III 線矢視断面図である。
【図４】図２におけるIV−IV線矢視断面図である。
【図５】本考案に係る電気装置用キャビネットの実施例２を示す一部を破断した正面図である。
【図６】本考案に係る電気装置用キャビネットの実施例３を示す要部の平面断面図である。
【図７】本考案に係る電気装置用キャビネットの実施例４を示す要部の断面図である。
【符号の説明】
【００４３】
１  キャビネット本体
４  支持金具
５  フリーボールベアリング
５ａ  ボールケース
５ｂ  ベアリングボール
６  ゴム状弾性体（縦衝撃抑制部材）
８  電子・電気機器
８ａ  ケーブル
９  ベース板
１１  ダンパー（横衝撃抑制部材）
１１ａ  シリンダー
１１ｂ  ピストンロッド
１３  ワイヤー
１４  ポスト
１５  ケーブル固定部材
１６  連結杆
１８  ゴム状弾性体（横衝撃抑制部材）
【図１】
0003113305.tif 000003
【図２】
0003113305.tif 000004
【図３】
0003113305.tif 000005
【図４】
0003113305.tif 000006
【図５】
0003113305.tif 000007
【図６】
0003113305.tif 000008
【図７】
0003113305.tif 000009